(57)【要約】【目的】ランチボックスを収納するバッグであって、細長状のバッグ本体を水平状又は垂直状の何れの状態で持ち手を持つことに対応でき、且つ持ち手の位置変化を瞬時にできるランチボックス用バッグを提供すること。【構成】小脇に抱える程度の細長状の６面体であり、細長上面部１１と、細長上面部１１に隣接する正面部１２との２面に亘ってランチボックス７を出し入れすることができるジッパー３１にて開閉可能な出入れ口３を備えたバッグ本体Ａと、細長上面部１１と正面部１２のそれぞれの最外側端箇所に長手方向両端が固着される持ち手５と、細長上面部１１と正面部１２との境界箇所設けられると共に持ち手５が通過する通し部６とからなること。持ち手５の長さは、細長上面部１１と正面部１２との周方向長さの総和よりも長くされると共に、手で握れる程度の余裕を有してなること。【選択図】      図１
2015077202.tif 000002
【特許請求の範囲】
【請求項１】
小脇に抱える程度の細長状の６面体であり、細長上面部と、該細長上面部に隣接する正面部との２面に亘ってランチボックスを出し入れすることができるジッパーにて開閉可能な出入れ口を備えたバッグ本体と、前記細長上面部と前記正面部のそれぞれの最外側端箇所に長手方向両端が固着される持ち手と、前記細長上面部と前記正面部との境界箇所設けられると共に前記持ち手が通過する通し部とからなり、前記持ち手の長さは、前記細長上面部と前記正面部との周方向長さの総和よりも長くされると共に、手で握れる程度の余裕を有してなることを特徴とするランチボックス用バッグ。
【請求項２】
請求項１において、前記通し部は、細帯状部材としてなることを特徴とするランチボックス用バッグ。
【請求項３】
請求項１において、前記通し部は、リング状材としてなることを特徴とするランチボックス用バッグ。
【請求項４】
請求項１，２又は３において、前記持ち手は、平行となるように２個装着されてなることを特徴とするランチボックス用バッグ。
【請求項５】
請求項１，２又は３において、前記持ち手は、肩紐となる長さとしてなることを特徴とするランチボックス用バッグ。
【請求項６】
請求項１，２，３，４又は５のいずれか１項において、前記バッグ本体の内部には保温材が装着されてなることを特徴とするランチボックス用バッグ。
【発明の詳細な説明】
【技術分野】
【０００１】
本発明は、ランチボックス、すなわちランチボックス（弁当箱）を収納するバッグであって、細長状のバッグ本体を水平状又は垂直状の何れの状態で持ち手を持つことに対応でき、且つ持ち手の位置変化を瞬時にできるランチボックス用バッグに関する。
【背景技術】
【０００２】
従来、種々のランチボックス或いは弁当箱が開発され、その形状も種々のものが存在する。以下、ランチボックスという。従来のような細長６面体としたランチボックスは、プラスチック等の合成樹脂或いはアルミ等の金属から形成されたものが多い。また、別のタイプのランチボックスとしては、円筒形状の複数のランチボックスから構成され、ご飯専用、おかず専用とした各ランチボックスが積み重ねられて、円柱状にまとめることができるようにしたものが存在する。
【０００３】
そして、上記の細長６面体状及び円柱状としたランチボックスを収納するためのバッグも種々存在し、上記２種類のランチボックスが収納できるものとして、細長６面体状としたバッグが一般的なものとなる。このようなバッグでは、バッグ本体と、該バッグ本体を手で持つための、持ち手から構成されたものである。この種の代表的なものとして、特許文献１及び特許文献２が存在する。
【先行技術文献】
【特許文献】
【０００４】
【特許文献１】実開昭６１−１２９５２４号公報
【特許文献２】特開２０１０−２５９５６９号公報
【発明の概要】
【発明が解決しようとする課題】
【０００５】
一般に、ランチボックスを収納するバッグにおいて、特許文献１及び特許文献２に示すように、持ち手はバッグ本体に対して上方にのみ付加されている。そして、バッグには必ず上方と下方が存在する。一般的には、バッグの上方とは、これに収納されるランチボックスの上方と一致する部分である。つまり、バッグに収納されたランチボックスは、その中味が崩れないように、ランチボックスの頂部が常に上方を向くように保持しなくてはならないためである。
【０００６】
前述したように、ランチボックスは、細長６面体状のものと、円柱状のものとが存在している。上記２タイプのランチボックスを収納することができるバッグは、一般的に、６面体の細長角柱状のものが好適である。そして、バッグ本体に、細長６面体状のランチボックスを収納する場合には、蓋側を上方に位置させるために、ランチボックスとバッグ本体との長手方向が水平状となるように配置される。そのために、細長角柱状のバッグ本体の長手方向を水平方向にして、その頂部を上面とし持ち手が装着される。
【０００７】
また、複数の円筒状のランチボックスから構成され、これらを積み重ねて円柱状としたものを、バッグ本体に収納するタイプの場合では、細長角柱状のバッグ本体は、その長手方向を上下方向に垂直状とし、この垂直状にしたときの頂部を上面として持ち手が装着されることになる。このように、ランチボックスの種類によって、バッグの上方の位置は変化し、持ち手の装着位置が変わることになる。
【０００８】
ところが、通常のバッグでは、頂部となる部分は最初から決定されており、持ち手はその頂部となる面のみにしか装着されていない。そのため、持ち手の位置が一箇所のみであると、上記に示したような２タイプのランチボックスに対応することができない。しかし、ランチボックスが収納される程度の小型のバッグでは、複数の面に持ち手を装着することは、部品及び製造工程が増加し、コストが上昇する等のことからあまり好ましくない。
【０００９】
そこで本発明の目的（解決しようとする技術的課題）は、何れのタイプのランチボックスであっても、バッグ本体における持ち手の位置を可変として対応できるようにすると共に、その構造も簡単にすることができるランチボックス用バッグを提供することにある。
【課題を解決するための手段】
【００１０】
そこで、発明者は、上記課題を解決すべく、鋭意，研究を重ねた結果、請求項１の発明を、小脇に抱える程度の細長状の６面体であり、細長上面部と、該細長上面部に隣接する正面部との２面に亘ってランチボックスを出し入れすることができるジッパーにて開閉可能な出入れ口を備えたバッグ本体と、前記細長上面部と前記正面部のそれぞれの最外側端箇所に長手方向両端が固着される持ち手と、前記細長上面部と前記正面部との境界箇所設けられると共に前記持ち手が通過する通し部とからなり、前記持ち手の長さは、前記細長上面部と前記正面部との周方向長さの総和よりも長くされると共に、手で握れる程度の余裕を有してなるランチボックス用バッグとしたことにより、上記課題を解決した。
【００１１】
請求項２の発明を、請求項１において、前記通し部は、細帯状部材としてなるランチボックス用バッグとしたことにより、上記課題を解決した。請求項３の発明を、請求項１において、前記通し部は、リング状材としてなるランチボックス用バッグとしたことにより、上記課題を解決した。
【００１２】
請求項４の発明を、請求項１，２又は３において、前記持ち手は、平行となるように２個装着されてなるランチボックス用バッグとしたことにより、上記課題を解決した。請求項５の発明を、請求項１，２又は３において、前記持ち手は、肩紐となる長さとしてなるランチボックス用バッグとしたことにより、上記課題を解決した。請求項６の発明を、請求項１，２，３，４又は５のいずれか１項において、前記バッグ本体の内部には保温材が装着されてなるランチボックス用バッグとしたことにより、上記課題を解決した。
【発明の効果】
【００１３】
請求項１の発明では、細長上面部と前記正面部のそれぞれの最外側端に固着される持ち手と、前記細長上面部と前記正面部との境界箇所に前記持ち手が通過する通し部とからなり、前記持ち手は、その長さは、前記細長上面部と前記正面部との周方向長さの総和よりも長くされると共に、握れる程度の余裕を有する構成としたことにより、持ち手は、前記細長上面部と前記正面部の何れか所望の位置に設けることができる。
【００１４】
つまり、持ち手は、通し部を自由に通過移動することができる構成である。したがって、持ち手を通し部に対して細長上面部側又は正面部側の何れかの側に移動させるのみで、バッグ本体の細長上面部側又は正面部側の何れの側にも持ち手の弛み部分を極めて容易に形成することができる。これによって、本発明のランチボックス用バッグの持ち手は、細長６面体状のランチボックスの収納状態や、複数の円筒形のランチボックスの収納状態の何れにも対応することができる。
【００１５】
請求項２の発明では、通し部は、細帯状部材としてなる構成により、該通し部にバッグ本体と同等の材質を使用することで、通し部をバッグ本体と一体化することができ、整然とした形状にできる。請求項３の発明では、通し部は、リング状材としたことにより、極めて簡単な構成にすることができる。
【００１６】
請求項４の発明では、持ち手は、平行となるように２個装着されたことによりも手に持ち易いものにできる。請求項５の発明では、持ち手は、肩紐となる長さとしたことにより、本発明のランチボックス用バッグは肩掛け（ショルダー）バッグタイプにすることができる。請求項６の発明では、バッグ本体の内部には保温材が装着された構成により、ランチボックスの保温効果を有するものである。
【図面の簡単な説明】
【００１７】
【図１】（Ａ）は本発明の第１実施形態における斜視図、（Ｂ）は（Ａ）のＹ1−Ｙ1矢視断面略示図、（Ｃ）は（Ｂ）のＹ2−Ｙ2矢視拡大断面図である。
【図２】（Ａ）は第１実施形態において出入れ口を開いた状態の斜視図と細長状ランチボックスの斜視図、（Ｂ）はバッグ本体の細長方向を水平状とし、細長上面部を上方側として持ち手の握り領域を形成した状態の側面図である。
【図３】（Ａ）はバッグ本体の細長方向を垂直状とし、正面部を上方にして持ち手の握り領域を形成した状態の斜視図、（Ｂ）は複数の円筒形状の小ボックスを複数組合せたタイプのランチボックスの斜視図である。
【図４】（Ａ），（Ｂ）は通し部の実施形態を示す斜視図である。
【図５】（Ａ）乃至（Ｄ）はバッグ本体の細長方向を水平状態から垂直状態に変化させるにともなって持ち手の握り領域を変化させる行程を示す略示図である。
【図６】（Ａ），（Ｂ）は本発明の第２実施形態の使用状態を示す斜視図である。
【発明を実施するための形態】
【００１８】
以下、本発明の実施形態を図面に基づいて説明する。本発明は、主に、バッグ本体Ａと、持ち手５と、通し部６とから構成される〔図１（Ａ）参照〕。バッグ本体Ａは、小脇に抱えることができる程度の大きさで、略角柱状に形成され、細長長方形状の４個の面と、方形状の２個の面とから構成される。細長長方形状面は、縦横比率が比較的大きい長方形であり、方形状面が正方形或いは略正方形に近い長方形である。これらの６面が略四角柱状のバッグ本体Ａを構成する〔図１（Ａ）参照〕。
【００１９】
バッグ本体Ａの材質は、合成樹脂，布或いは革材等である。バッグ本体Ａは、四個の細長長方形状面の中で、任意の一面を細長上面部１１とし、該細細長上面部１１の反対側に位置して対向する細長長方形状面を細長底面部１２と称する。また、前記細長上面部１１と前記細長底面部１２との間にある細長長方形状面を細長側面部１３，１３と称する。
【００２０】
前記細長上面部１１と周方向に隣接する一方の方形状面を正面部２１と称し、該正面部２１の反対側に位置して対向する方形状面を背面部２２と称する。バッグ本体Ａは、細長上面部１１，細長底面部１２，両細長側面部１３，１３によって、略四角柱が構成され、その略四角柱の上端及び下端に正面部２１及び背面部２２が位置することになる。
【００２１】
また、細長上面部１１と正面部２１、及び細長上面部１１と背面部２２とのそれぞれの角部つまり境界部分は円弧状の面で緩やかに連続している。バッグ本体Ａの隣接する細長上面部１１と正面部２１との２面に亘って、略全面に連続状に出入れ口３が形成される。つまり、細長上面部１１と背面部２２の境界位置から、正面部２１と細長底面部１２の境界位置までの範囲に亘って、出入れ口３が形成されている〔図１（Ａ），図２（Ａ）参照〕。
【００２２】
細長上面部１１と正面部２１とは、略直角に隣接しており、出入れ口３も略Ｌ字形状又は略Ｊ字形状となる。出入れ口３の開閉構造は、ジッパー３１によるものである〔図１（Ａ），（Ｃ），図２（Ａ），図３（Ａ）参照〕。バッグ本体Ａの内部は、布状の保温材４が貼着されて、保温性を有したものとすることもある〔図１（Ｂ），（Ｃ）参照〕。
【００２３】
持ち手５は、平帯の紐状としたもので布材，合成樹脂或いは革材等にて形成されたものである。該持ち手５の長手方向両端は、前記細長上面部１１と前記正面部２１のそれぞれの最外側端箇所に固着されている。さらに具体的には、持ち手５の長手方向両端は、前記細長上面部１１と、前記正面部２１の隣接する境界の反対側の端部付近に固着される〔図１（Ａ），（Ｂ）参照〕。
【００２４】
換言すると、前記持ち手５の長手方向の一端は細長上面部１１で且つ背面部２２との境界の角部箇所にリベット，縫製等の固着手段８により固着されている。持ち手５の他端は、正面部２１で且つ細長底面部１２との角部箇所にリベット，縫製等の固着手段８により固着される。
【００２５】
持ち手５の総全長は、前記細長上面部１１と前記正面部２１との周方向長さの総和よりも長いものにされると共に、細長上面部１１又は正面部２１の何れかにおいて、持ち手５の所定の範囲を手で握れる程度の余裕を有したものである。つまり、持ち手５は、細長上面部１１と正面部２１のいずれかの面で、少なくとも手提げ部分として手で握ることができる程度の弛みが生じる構成となっている〔図  １（Ｂ）参照〕。
【００２６】
バッグ本体Ａには、前記細長上面部１１と、前記正面部２１との境界箇所の角部に通し部６が設けられている。該通し部６は、前記持ち手５が挿通して通過すると共に、該持ち手５は通し部６を摺動状態に往復移動自在となる構造である〔図１（Ｂ），図５等参照〕。これによって、平帯状とした持ち手５は、細長上面部１１又は正面部２１の何れかに弛みを生じさせ、手の指を差し込んで、手提げ部分として握ることができるようになる〔図２（Ｂ），図３（Ｃ）参照〕。
【００２７】
前記通し部６には、種々のタイプが存在し、その第１タイプは細帯状部材としたものである〔図１（Ａ），（Ｃ）参照〕。材質は、バッグ本体Ａと同様で、合成樹脂による化学繊維等である。このタイプでは、バッグ本体Ａの細長上面部１１と正面部２１との境界の角部箇所に、細帯状の部材の長手方向両端部分を縫い付け等の縫製手段によって、通し部６を形成したものである〔図１（Ａ），（Ｃ）参照〕。
【００２８】
通し部６の第２タイプでは、リング状材としたものである。具体的には、金属或いは合成樹脂のリングが使用される。ここで、リングは、方形状リング，円形リング等があり、特に長方形状のリング〔図４（Ａ）参照〕とすることにより、平帯状の持ち手５が通過し易く、極めて好適である。リング状の通し部６では、ジョイント用の布部材６１をバッグ本体Ａの細長上面部１１と正面部２１との境界部分に縫製又は接着剤等の固着手段によって固着される。
【００２９】
また、押通し部６は、略門形状とした部材が使用されることもある〔図４（Ｂ）参照〕。この門形状部材は、合成樹脂又は金属にて形成されたり、或いは厚手の革材等によって形成され、バッグ本体Ａの細長上面部１１と正面部２１との境界部分に縫製等の固着手段によって固着されるものである。
【００３０】
持ち手５は、平行となるように２個装着されることが好ましい〔図１（Ａ）参照〕。２つの持ち手５は、前記出入れ口３の両側に位置するようにして、出入れ口３及び両持ち手５，５が平行となる構成する。両持ち手５，５は出入れ口３の両側に配置されていることで、出入れ口３からランチボックス７の出し入れを行う際に前記持ち手５が絡むことなく、円滑にランチボックス７の出し入れができる。
【００３１】
本発明では、収納されるランチボックス７のタイプによって、バッグ本体Ａの手持ち姿勢及び持ち手５としての握り領域５１の位置を適宜変更することができる。まず、収納されるランチボックス７が、細長６面体状ランチボックス７１の場合においては〔図２（Ａ）参照〕、バッグ本体Ａの手持ち姿勢は、その細長方向を水平状となるようにする〔図２（Ｂ）参照〕。そして、細長上面部１１側の上方に持ち手５にて、手提げ部分としての握り領域５１を形成することができる〔図５（Ａ）参照〕。
【００３２】
次に、収納されるランチボックス７が、複数の円筒形の小ボックス７２ａ，７２ａ，…から構成される組合せランチボックス７２の場合においては〔図３（Ｂ）参照〕、バッグ本体Ａの手持ち姿勢は、その細長方向を垂直状となるようにする〔図３（Ｂ）参照〕。そして、持ち手５は上方側に位置する正面部２１側の上方に持ち手５にて、手提げ部分としての握り領域５１を形成することができる〔図２（Ｂ），図５（Ａ）参照〕。
【００３３】
本発明では、前述したように、バッグ本体Ａの姿勢に応じて、持ち手５の握り領域５１の位置を細長上面部１１から正面部２１に、又は正面部２１から細長上面部１１に、略瞬間的に変化させることができる。まず、バッグ本体Ａ内に細長状ランチボックス７１を収納する場合には、細長形状のバッグ本体Ａの長手方向を水平状となる姿勢とし、正面部２１側にて弛んでいる持ち手５部分は、通し部６を介して細長上面部１１側に最大限、引き出し、これによって該細長上面部１１上で持ち手５を手提げ部分としての握り領域５１に形成する〔図５(Ａ)参照〕。
【００３４】
次に、複数の円筒形の小ボックス７２ａ，７２ａ，…から構成される組合せランチボックス７２をバッグ本体Ａ内に収納する場合には、細長形状のバッグ本体Ａの長手方向の姿勢を水平状態から、垂直状態に変化させる。このために、バッグ本体Ａの正面部２１に位置する持ち手５の握り領域５１を一方の手で握る。
【００３５】
他方の手は、正面部２１側の持ち手５を通し部６から少し引き出し、この部分を握る〔図５(Ｂ)参照〕。そして、同時に、前述した細長上面部１１側の持ち手５の握り領域５１を握っている一方の手を持ち手５から離す〔図５（Ｃ）参照〕。これによって、バッグ本体Ａの持ち手５の弛みは、細長上面部１１側から通し部６を介して通過移動し、正面部２１側に移る。
【００３６】
これによって、正面部２１側がバッグ本体Ａの上方となり、バッグ本体Ａ及びランチボックス７の重量によって、バッグ本体Ａは細長上面部１１の長手方向が垂直状となり、上下方向にぶら下がり状態となる。持ち手５は、正面部２１側で最大限、弛み、該正面部２１上方に手提げとしての握り領域５１が形成されて手提げ部分となり、バッグ本体Ａの長手方向を上下方向として、手で持つことができる〔図５（Ｄ）参照〕。
【００３７】
次に、本発明の第２実施形態としては、持ち手５は、肩紐５２となる長さとしたものである。これによって、バッグ本体Ａは肩掛けタイプとすることができる（図６参照）。この実施形態では、肩紐５２とした持ち手５の長さを特に肩掛けが出来る程度の長さにするものである。
【符号の説明】
【００３８】
Ａ…バッグ本体、１１…細長上面部、２１…正面部、３…出入れ口、５…持ち手、
６…通し部、７…ランチボックス。
【図１】
2015077202.tif 000003
【図２】
2015077202.tif 000004
【図３】
2015077202.tif 000005
【図４】
2015077202.tif 000006
【図５】
2015077202.tif 000007
【図６】
2015077202.tif 000008